(57)【要約】【課題】大型の障子であってもパネルの見付け面積を極めて大きくすることができ、且つ組み立て作業性の良好な障子を提供する。【解決手段】本発明の障子１は、パネル９の端面とコーナ具１５の水平板４１との間には軟質材製の軟質部材４９が挟着してあり、左右の側端部カバー１３は、横框１１よりも見付け寸法が小さく、横框１１にはボルト貫通孔２３とパネル端部の取付溝２１とが見込み方向に並んでおり、上下の横框のタッピングホール３５に螺合するタッピングネジ３７で上下の横框１１と左右の側端部カバー１３とを固定しており、左右の側端部カバーにある上下のタッピングネジ貫通孔のうちの少なくとも何れか一方が上下方向の長孔３４であり、通しボルト１７に螺合したナット１９を締結して上下の横框１１でパネル９を挟着し、左右の側端部カバー１３で上下の横框１１の端面、左右のパネル側面、通しボルト１７、ナット１９及びコーナ具１５を遮蔽してある。【選択図】　　　図１
2004036191.tif 000002
【特許請求の範囲】
【請求項１】
パネルと、室内外側方向のいずれか一方側にパネル端部を呑み込む取付溝を長手方向に有し他方側の長手方向の両端部にボルト貫通孔を有する上下の横框と、長手方向の端部が横框端面に当接すると共に室内外側のいずれか一方側にパネル端部を呑み込む取付溝を長手方向に有し且つ他方側にボルト挿通部を有する左右の側端部カバーと、上下の横框及び左右の側端部カバーの内周側コーナ部に配置するコーナ具と、上下の横框のボルト貫通孔を貫通して上下の横框間で側端部カバーのボルト挿通部に配置する左右の通しボルトと、通しボルトに螺合するナットとを備え、コーナ具はボルト貫通孔を有し横框の取付溝底壁に位置する水平板と側端部カバーの取付溝底壁に位置する垂直板とを有し、コーナ具の水平板とパネル端面との間には軟質部材が挟着してあり、通しボルトに螺合したナットを締結して上下の横框でパネルを挟着してあり、左右の側端部カバーは横框よりも見付け寸法が小さいとともに横框にはボルト貫通孔とパネル端部の取付溝とが見込み方向に並んでおり且つ左右の側端部カバーは上下の端部にタッピングネジ貫通孔を有し、上下の横框のタッピングホールに螺合するタッピングネジをタッピングネジ貫通孔に挿通して上下の横框に固定しており、上下のタッピングネジ貫通孔のうちの少なくとも何れか一方が上下方向の長孔であり且つ左右の側端部カバーで上下の横框の端面、左右のパネル側面、通しボルト、ナット及びコーナ具を遮蔽してあることを特徴とする障子。
【請求項２】
パネルと、室内外側方向のいずれか一方側にパネル端部を呑み込む取付溝を長手方向に有し他方側の長手方向の両端部にボルト貫通孔を有する左右の竪框と、左右方向の端部が竪框端面に当接すると共に室内外側のいずれか一方側にパネル端部を呑み込む取付溝を長手方向に有し且つ他方側にボルト挿通部を有する上下の側端部カバーと、左右の竪框及び上下の側端部カバーの内周側コーナ部に配置するコーナ具と、左右の竪框のボルト貫通孔を貫通して左右の竪框間で側端部カバーのボルト挿通部に配置する上下の通しボルトと、通しボルトに螺合するナットとを備え、コーナ具はボルト貫通孔を有し竪框の取付溝底壁に位置する垂直板と側端部カバーの取付溝底壁に位置する水平板とを有し、コーナ具の垂直板とパネル端面との間には軟質部材が挟着してあり、通しボルトに螺合したナットを締結して左右の竪框でパネルを挟着してあり、上下の側端部カバーは竪框よりも見付け寸法が小さいとともに竪框にはボルト貫通孔とパネル端部の取付溝とが見込み方向に並んでおり且つ上下の側端部カバーは左右の端部にタッピングネジ貫通孔を有し、左右の竪框のタッピングホールに螺合するタッピングネジをタッピングネジ貫通孔に挿通して左右の竪框に固定しており、左右のタッピングネジ貫通孔のうちの少なくとも何れか一方が左右方向の長孔であり且つ上下の側端部カバーで左右の竪框の端面、上下のパネル側面、通しボルト、ナット及びコーナ具を遮蔽してあることを特徴とする障子。
【発明の詳細な説明】
【０００１】
【発明の属する技術分野】
本発明は、障子に関する。
【０００２】
【従来の技術】
特開平９−２７９９５３号公報には、上下の横框にボルト貫通孔を設け、左右の竪框にボルトを挿通すると共に横框のボルト貫通孔にボルトを貫通させて、ナットで螺合することにより、パネルの四周に設けた竪横框をパネルに強固に固定する技術が開示されている。
【０００３】
【発明が解決しようとする課題】
しかし、上述の従来技術では、横框にはパネル取付溝の上方又は下方（上横框にあっては上方、下横框にあっては下方）にボルト貫通孔を設けているので、横框は見付け面方向にパネル取付溝とボルト貫通孔とを設けることになり、横框の見付け寸法が大きくなってしまう。このことは、左右の竪框にボルト貫通孔を設けて上下横框の左右端でそれぞれのボルトにナットを螺合する場合にも、上述の横框の場合と同様に竪框の見付け寸法が大きくなってしまう。
このように従来技術では、框の見付け寸法が大きくなるため、その分パネルの見付け面積が喰われてしまい、パネルの見付け面積が小さくなるという問題があった。
また、大型障子であっても竪横框の見付け面積を小さくしてパネル面を広くして、視界を広くしたり、外観を向上したいという要求がある。
そこで、本発明は、大型の障子であってもパネルの見付け面積を極めて大きくすることができ、且つ組み立て作業性の良好な障子の提供を目的とする。
【０００４】
【課題を解決するための手段】
請求項１に記載の発明は、パネルと、室内外側方向のいずれか一方側にパネル端部を呑み込む取付溝を長手方向に有し他方側の長手方向の両端部にボルト貫通孔を有する上下の横框と、長手方向の端部が横框端面に当接すると共に室内外側のいずれか一方側にパネル端部を呑み込む取付溝を長手方向に有し且つ他方側にボルト挿通部を有する左右の側端部カバーと、上下の横框及び左右の側端部カバーの内周側コーナ部に配置するコーナ具と、上下の横框のボルト貫通孔を貫通して上下の横框間で側端部カバーのボルト挿通部に配置する左右の通しボルトと、通しボルトに螺合するナットとを備え、コーナ具はボルト貫通孔を有し横框の取付溝底壁に位置する水平板と側端部カバーの取付溝底壁に位置する垂直板とを有し、コーナ具の水平板とパネル端面との間には軟質部材が挟着してあり、通しボルトに螺合したナットを締結して上下の横框でパネルを挟着してあり、左右の側端部カバーは横框よりも見付け寸法が小さいとともに横框にはボルト貫通孔とパネル端部の取付溝とが見込み方向に並んでおり且つ左右の側端部カバーは上下の端部にタッピングネジ貫通孔を有し、上下の横框のタッピングホールに螺合するタッピングネジをタッピングネジ貫通孔に挿通して上下の横框に固定しており、上下のタッピングネジ貫通孔のうちの少なくとも何れか一方が上下方向の長孔であり且つ左右の側端部カバーで上下の横框の端面、左右のパネル側面、通しボルト、ナット及びコーナ具を遮蔽してあることを特徴とする。
【０００５】
この請求項１に記載の発明では、障子の組み立ては、横框の上下端部にコーナ具を取り付け、パネルの上下端面を上下の横框の取付溝に呑み込ませるとともにパネル端面とコーナ具の水平板との間に軟質材を挟着するようにしてパネルに上下の横框を装着する。次に、上下の横框のボルト貫通孔に通しボルトを挿通し、通しボルトに螺合するナットを螺合して上下の横框を互いに引き付けるようにして固定する。上下の横框は通しボルトの締め付けにより強固に固定できる。
次に、パネルの左右端面に左右の側端部カバーを装着し、左右の側端部カバーの上下端では、タッピングネジ貫通孔にタッピングネジを貫通し、上下の横框に形成されているタッピングホールにタッピングネジを螺合して左右の側端部カバーを上下の横框に固定する。左右の側端部カバーにはそれぞれ上下端にタッピングネジ貫通孔があるが、上下のタッピングネジ貫通孔のうち長孔になっている方を後にネジ固定する。上下のタッピングネジ貫通孔のうちの少なくとも何れか一方が上下方向の長孔であるから、上下横框のタッピングホールとタッピングネジ貫通孔とを容易に合わせることができ、組み立て作業性が良い。
左右の側端部カバーの見付け寸法は、横框の見付け寸法よりも小さくなっており、且つ横框はボルト貫通孔とパネル端部の取付溝を見込み方向に並べて形成しているから、見付け寸法を小さくできる。特に、大型の障子であっても見付け寸法を小さくでき、パネルに取り付ける上下の横框及び左右の側端部カバーの見付け面を小さくできるので、パネル周囲が上下の横框及び左右の側端部カバーに食われる寸法が小さくなり、パネルの見付け面積を極めて大きくできる。
また、横框及び側端部カバーのコーナ部では、コーナ具のパネル端面対向面とパネル端面との間には軟質部材を設け、接着力を有するシール材を設けない構造なので、パネル破損時にパネルのみを容易に外すことができ、交換が容易にできるとともに、廃棄するときにパネルにシール材が付着しないので材料の分別が容易にできる。
【０００６】
請求項２に記載の発明は、パネルと、室内外側方向のいずれか一方側にパネル端部を呑み込む取付溝を長手方向に有し他方側の長手方向の両端部にボルト貫通孔を有する左右の竪框と、左右方向の端部が竪框端面に当接すると共に室内外側のいずれか一方側にパネル端部を呑み込む取付溝を長手方向に有し且つ他方側にボルト挿通部を有する上下の側端部カバーと、左右の竪框及び上下の側端部カバーの内周側コーナ部に配置するコーナ具と、左右の竪框のボルト貫通孔を貫通して左右の竪框間で側端部カバーのボルト挿通部に配置する上下の通しボルトと、通しボルトに螺合するナットとを備え、コーナ具はボルト貫通孔を有し竪框の取付溝底壁に位置する垂直板と側端部カバーの取付溝底壁に位置する水平板とを有し、コーナ具の垂直板とパネル端面との間には軟質部材が挟着してあり、通しボルトに螺合したナットを締結して左右の竪框でパネルを挟着してあり、上下の側端部カバーは竪框よりも見付け寸法が小さいとともに竪框にはボルト貫通孔とパネル端部の取付溝とが見込み方向に並んでおり且つ上下の側端部カバーは左右の端部にタッピングネジ貫通孔を有し、左右の竪框のタッピングホールに螺合するタッピングネジをタッピングネジ貫通孔に挿通して左右の竪框に固定しており、左右のタッピングネジ貫通孔のうちの少なくとも何れか一方が左右方向の長孔であり且つ上下の側端部カバーで左右の竪框の端面、上下のパネル側面、通しボルト、ナット及びコーナ具を遮蔽してあることを特徴とする。
【０００７】
この請求項２に記載の発明では、上述の請求項１に記載の発明の上下框を左右框に換え、左右側端部カバーを上下側端部カバーに換えたもので、これにともなって側端部カバーには左右端に設けるタッピングネジ貫通孔のうちいずれか一方を左右に長い長孔としている。また、通しボルトは左右に設け、通しボルトとナットで左右框を互いに引き付けるようにしてパネルに左右框を固定したものである。このように、請求項２に記載の発明は、請求項１に記載の障子の上下を左右に、左右を上下に置き換えた構造としてあり、それ以外は上述した請求項１に記載の作用効果と同様な作用効果を奏するものである。
【０００８】
【発明の実施の形態】
以下に、添付図面を参照して本発明の実施の形態を詳細に説明するが、まず、図１〜図３を参照して本発明の第１実施の形態を説明する。図１は第１実施の形態にかかる障子を備えた壁体の縦断面図であり、図２は図１に示す壁体の横断面図であり、図３は図２の壁体のＡ−Ａ断面図である。尚、図１及び図２において抜き出して示すのは拡大図であり、図３で抜き出して示しているのは側端部カバーをパネル側面側から見た図である。
第１実施の形態にかかる障子１は、カーテンウォール３の室内側に設けた壁体５を構成しており、床Ｆから天井Ｇ近くまで高さのある開閉可能な大型の障子である。
壁体５は方立７と障子１とを交互に連設しており、各障子１は図２に示すように、方立７から室内側に向けて開閉可能としている。
障子１は、パネル９と、パネル９の上下に装着した横框１１、１１と、パネルの左右に装着した側端部カバー１３、１３と、障子のコーナ部に配置したコーナ具１５と、左右の通しボルト１７、１７と、通しボルト１７に螺合するナット１９、１９とから構成されており、パネル９の四周には上下の横框１１、１１と左右の側端部カバー１３、１３とが装着されている。
パネル９は、ガラス等の透明材であり、室内に採光可能である。
上下の横框１１、１１は、それぞれの室外側にパネル９の上下端部を呑み込むパネルの取付溝２１を備えており、取付溝２１の室外側にはボルト貫通孔２３が形成されている。ボルト貫通孔２３は取付溝２１の底壁２５に形成されている。上下の横框１１、１１において、パネルの取付溝２１及びボルト貫通孔２３は見込み方向に沿って並んで設けている。
左右の側端部カバー１３、１３は、それぞれパネル９の左右側端に上下方向に設けてあり、上下方向（長手方向）の端部位置に横框１１の端面に当接する横框端面当接部２７、２７を有している。また、左右の側端部カバー１３、１３は、上横框端面当接部２７と下横框端面当接部２７との間では、パネル９の側端部を呑み込む取付溝２９が上下方向（長手方向）に設けてある。取付溝２９の室内側には通しボルト１７を通すボルト挿通部３１が形成されている。左右の側端部カバー１３、１３においてもパネルの取付溝２９及びボルト挿通部３１は見込み方向に並んで設けている。
また、左右の側端部カバー１３、１３の見つ付け寸法Ｍ（図２参照）は、横框１１、１１の見付け寸法Ｈ（図１参照）よりも小さい寸法となっており、パネル面積を広くとるようにしている。側端部カバー１３に設けてあるパネルの取付溝２９及びボルト挿通部３１の上端は上横框１１に対向し、下端は下横框１１に対向している。上下の横框端面当接部２７、２７にはタッピングネジ貫通孔３３、３４が形成されており、タッピングネジ貫通孔３３、３４を貫通して上下の横框１１、１１に形成されたタッピングホール３５、３５にタッピングネジ３７、３７を螺合して、上下の横框１１、１１と左右の側端部カバー１３、１３とを固定している。
左右の側端部カバー１３、１３に形成されている上下のタッピングネジ貫通孔３３、３４のうちの下タッピングネジ貫通孔３４は丸孔であり、上タッピングネジ貫通孔３４は上下方向の長孔になっており、上下横框１１、１１と側端部カバー１３とのネジ孔を容易に一致でき、ネジ留めが容易にできる。
また、左右の側端部カバー１３、１３は、上下の横框１１、１１の各端面、パネル左右側端面、通しボルト１７、ナット１９及びコーナ具１５を遮蔽してあり、外から見えないようになっている。
パネル９の四周を囲む上下の横框１１、１１及び左右の側端部カバー１３、１３の各コーナ部には、その内周側に略Ｌ字形状を成すコーナ具１５が配置されている。各コーナ具１５は、水平板４１と垂直板４３とから断面形状が略Ｌ字形状に形成されており、水平板４１が横框１１の取付溝２１の底壁２５に位置しているとともに上下方向のボルト挿通孔２３に位置して、水平板４１のパネル端面対向面４７がパネル９の端面に対向して配置されている。
パネル９の上下端面とパネル端面対向面４７との間には軟質部材４９、４９が挟着してあり、それぞれパネル９の上下端面を受けている。
垂直板４３は、側端部カバー１３の取付溝２９に配置されており、取付溝２９の底壁５１に位置してパネル端面対向面５３がパネル９の左右の側端面に対向している。
この側端部カバー１３においても、パネル９の端面とパネル端面対向面５３との間には軟質材部材４９が挟着してあり、パネル９の左右端面を受けている。
【０００９】
次に、本実施の形態にかかる障子１の組み立て及び作用について説明する。障子１の組み立ては、上下の横框１１、１１の左右側端部において、その内周側面にコーナ具１５の水平板４１をビス留めし、コーナ具１５の水平板４１に軟質材部材４９を取り付ける。次に、上下の横框の取付溝２１にそれぞれパネル上下端を呑み込ませて、パネルの上下端に上下の横框１１、１１を取り付ける。次に、パネル９の左右端に左右の側端部カバー１３、１３を取り付けるが、それぞれ取付溝２９の底壁５１にコーナ具１５の垂直板４３配置するようにしてパネル９の左右端に側端部カバー１３、１３を装着し、パネルの側端を取付溝２９に呑み込ませる。そして、パネル９の左右端側において、それぞれ通しボルト１７を上下横框１１、１１のボルト貫通孔２３、２３と、コーナ具１５の水平板４１にあるボルト貫通孔３９、側端部カバー１３のボルト挿通部３１に通して、上下横１１の両方の側からナット１９、１９を螺合して締め付ける。
上下横框１１、１１はナット１９、１９の締め付けにより相互に引き付けられるようにしてパネル９に強固に固定される。
次に、側端部カバー１３、１３の上下端をタッピングネジ３７により上下横框１１、１１に固定する。タッピングネジ３７の取り付けは、下側のタッピングネジ貫通孔３３から下横框１１のタッピングホール３５に螺合し、次に上横框１１側を行う。側端部カバー１３、１３の上端には上下に長い長孔のタッピングネジ貫通孔３４になっているので、上横框１１のタッピングホール３５にタッピングネジ３７を容易に一致させて螺合することができ、組み立て作業性が良い。
左右の側端部カバー１３、１３の見付け寸法Ｍは横框の見付け寸法Ｈよりも小さくなっており、横框１１、１１は見込み方向にボルト貫通孔２３とパネル端部の取付溝２１を形成しているとともに、これにともなって左右の側端部カバー１３、１３もボルト挿通部３１とパネル端部の取付溝２９を見込み方向に並べているから、横框１１、１１及び側端部カバー１３、１３の見付け寸法を小さくできる。従って、大型の障子であっても見付け寸法を小さくでき、パネルの四周に取り付ける上下横框１１、１１及び左右の側端部カバー１３、１３の見付け面を小さくできるので、パネル９の見付け面積を極めて大きくできて外観が良いとともに、採光面積も広くできる。
パネル９の破損等によりパネル９を交換する場合には、上述した手順と逆の順序で側端部カバー１３、１３及び上下横框１１、１１を外し、パネル９を取り除くが、軟質部材４９が接着力を有するシール材を用いないで軟質材を用いているだけなので、パネル９のみを側端部カバー１３、１３や上下横框１１、１１から容易に外すことがでる。また、破損したパネル９を廃棄するときにも、パネル９にシール材が付着しないので材料の分別が容易である。
【００１０】
次に、図４〜図６を参照して第２実施の形態を説明するが、以下の説明において、上述した第１実施の形態と同一の作用効果を奏する部分には同一の符号を付することによりその部分の詳細な説明を省略し、第１実施の形態と異なる点を主に説明する。
この第２実施の形態では、パネル９の左右にそれぞれ竪框１１、１１を取り付け、パネル９の上下に側端部カバー１３、１３を設けたものであり、これに対応して、コーナ具１５の垂直板４３が左右方向のボルト貫通孔３９と竪框１１の取付溝底壁に位置するパネル端面対向面４７とを有し、水平板４１が側端部カバー１３の取付溝２９の底壁に位置するパネル端面対向面５３を有し、通しボルト１７は左右に挿通して左右の竪框１１、１１を互いに近づけるようにしてナット１９で締め付けてパネル９に装着している。そして、第１実施の形態における横框端面当接部２７は、竪框端面当接部２７としてあり、竪横が入れ替わっている。
また、上下の側端部カバー１３、１３はそれぞれ左右の竪框１１、１１の端面、パネル上下端面、通しボルト１７、ナット１９及びコーナ具１５を遮蔽している。
この第２実施の形態では、第１実施の形態の障子の上下を左右に置き換えた点が第１実施の形態と異なっているだけで上述した第１実施の形態と同様な作用効果を奏するものである。
【００１１】
本発明は、上述した実施の形態に限らず、本発明の要旨を逸脱しない範囲で種々変形可能である。
例えば、パネル９は、透明材に限らず不透明であってもよい。
側端部カバー１３、１３に設けるタッピングネジ貫通孔３３、３４は上側を長孔３４として下側を丸孔３３としたが、これに限らず上下共に長孔３４としても良いし、上側を丸孔３３として下側を長孔３４としてもよい。
また、障子１は室内の床から天井近傍まであるような大型のものに限定されない。
【００１２】
【発明の効果】
請求項１に記載の発明によれば、障子の組み立ては、上下の横框のボルト貫通孔に通しボルトを挿通し、ナットを螺合して上下の横框を互いに引き付けるようにしてパネルに固定するので、上下の横框は通しボルトの締め付けにより強固に固定できる。
左右の側端部カバーと上下の横框とを固定するタッピングネジの螺合において、上下のタッピングネジ貫通孔のうちの少なくとも何れか一方が上下方向の長孔としているから、上下の横框のタッピングネジ貫通孔と左右の側端部カバーのタッピングネジ貫通孔とを容易に一致できるので、組み立て作業性が良い。
左右の側端部カバーの見付け寸法は、横框の見付け寸法よりも小さくなっており、且つ左右の側端部カバーは見込み方向にボルト貫通孔とパネル端部の取付溝を並べて形成しているから、上下の横框及び左右の側端部カバーの見付け寸法を小さくできる。特に、大型の障子であっても見付け寸法を小さくでき、上下の横框及び左右の側端部カバーの見付け面を小さくできるので、パネル周囲が上下の横框及び左右の側端部カバーに食われる寸法が小さくなり、パネルの見付け面積を極めて大きくできる。
また、横框及び側端部カバーのコーナ部では、コーナ具の水平板とパネル端面との間には軟質部材を設け、接着力を有するシール材を設けない構造なので、パネル破損時にパネルのみを容易に外すことができ、パネルの交換が容易にできるとともに、パネルを廃棄するときにパネルにシール材が付着しないので材料の分別が容易にできる。
【００１３】
請求項２に記載の発明は、上述の請求項１に記載の発明の上下框を左右框に換え、左右側端部カバーを上下側端部カバーに換えたもので、これにともなって通しボルトは左右に設け、また、タッピングネジ貫通孔のうちいずれか一方を左右に長い長孔としている。したがって、請求項２に記載の発明は、請求項１に記載の発明と同様な効果を得ることができる。
【００１４】
【図面の簡単な説明】
【図１】第１実施の形態にかかる障子を備えた壁体の縦断面図である。
【図２】図１に示す壁体の横断面図である。
【図３】図２の壁体のＡ−Ａ断面図である。
【図４】第２実施の形態にかかる障子の横断面図である。
【図５】図４に示す障子の縦断面である。
【図６】図５の障子のＢ−Ｂ横断面である。
【符号の説明】
１　　障子
９　　パネル
１１　横框（竪框）
１３　側端部カバー
１５　コーナ具
１７　通しボルト
１９　ナット
２１　取付溝
２３　横框（竪框）のボルト貫通孔
２５　底壁
２９　取付溝
３１　ボルト挿通部
３４　長孔のタッピングネジ貫通孔
３５　タッピングホール
３７　タッピングネジ
３９　コーナ具のボルト貫通孔
４１　水平板
４３　垂直板
４９　軟質部材
５１　底壁
【図１】
2004036191.tif 000003
【図２】
2004036191.tif 000004
【図３】
2004036191.tif 000005
【図４】
2004036191.tif 000006
【図５】
2004036191.tif 000007
【図６】
2004036191.tif 000008